(57)【要約】【課題】  複雑な配線をする必要がなく安価で容易に漏水位置を特定でき、しかも、メンテナンスも容易な漏水感知システムを提供する。【解決手段】  直列に接続され、漏水により導通されて抵抗値により漏水位置を特定可能にされた複数の漏水検知センサ２２と、  前記漏水検知センサ２２による検出位置を読みとる情報読取り手段２６と、  前記情報読取り手段２６で読みとった情報を記憶する記憶手段２４と、  を含む。【選択図】        図１
2008233031.tif 000002
【特許請求の範囲】
【請求項１】
直列に接続され、漏水により導通されて抵抗値により漏水位置を特定可能にされた複数の漏水検知センサと、
前記漏水検知センサによる検出位置を読みとる情報読取り手段と、
前記情報読取り手段で読みとった情報を記憶する記憶手段と、
を含むことを特徴とする漏水検知システム。
【請求項２】
請求項１において、
前記漏水検知センサは、インターフェイスを介してパッシブ型ＲＦＩＤと接続され、
前記情報読取り手段は、無線アンテナを介して前記パッシブ型ＲＦＩＤと送受信可能なリーダ・ライタとされ、
前記パッシブ型ＲＦＩＤは、前記リーダ・ライタにより起電力を付与されて前記漏水検知センサに通電可能にされていることを特徴とする漏水検知システム。
【請求項３】
請求項１において、
前記漏水検知センサは、インターフェイスを介してＵＳＢと接続され、
前記情報読取り手段は、前記ＵＳＢに接続可能にされていることを特徴とする漏水検知システム。
【請求項４】
請求項１において、
前記漏水検知センサは、インターフェイスを介してアクティブ型ＩＣタグと接続され、
前記情報読取り手段は、無線アンテナを介して前記アクティブ型ＩＣタグと送受信可能なリーダ・ライタとされていることを特徴とする漏水検知システム。
【請求項５】
請求項１〜４のいずれかにおいて、
前記漏水検知センサは、２芯リード線の被覆を複数箇所で除去し、導線の露出部を保水性及び導電性を有する材料にて被覆してなることを特徴とする漏水検知システム。
【請求項６】
請求項５において、
前記漏水検知センサは、ロール状の防水材の裏面に予め一体に組み込まれて、防水材の敷設時に同時に敷設されることを特徴とする漏水検知システム。
【請求項７】
直列に接続され、漏水により導通されて抵抗値により漏水位置を特定可能にされた複数の漏水検知センサと、
前記漏水検知センサによる検出位置を記憶する記憶手段と、
前記記憶手段に記憶した情報を読みとる情報読取り手段と、
を含むことを特徴とする漏水検知システム。
【発明の詳細な説明】
【技術分野】
【０００１】
本発明は、漏水検知システムに関し、特に、建物や管理型最終処分場などにおける防水の漏水検知システムに関する。
【背景技術】
【０００２】
一般に、建物や管理型最終処分場など各種漏水の事実及びその発生箇所を特定して、早急に対策を講じることが必要とされる。
【０００３】
そのため、例えば、水溶性物質中に抱持され互いに離隔して並設される２本の導電線で形成した触水スイッチ手段を建造物の下地面と防水層との間に格子状に配置し、水との接触により溶融制物質が溶融して２本の導電線が導通することで動作するようにして、漏水に事実及び発生箇所を的確容易に把握し、修復をする場所を必要最小限に特定し、低廉で所要箇所への施工性も良い漏水検知システムが提案されている（特許文献１参照）。
【特許文献１】特開２００２−５５０１５号公報
【発明の開示】
【発明が解決しようとする課題】
【０００４】
このような漏水検知システムにあっては、触水スイッチ手段が水溶性物質中に抱持され互いに離隔して並設される２本の導電線で形成されており、しかも、このような触水スイッチ手段が格子状に配置されるため、高価なものとなってしまう。
【０００５】
また、触水スイッチの水溶性物質が一旦溶融して導電線が導通したあとは、その触水スイッチは再使用できなくなってしまい、交換を余儀なくさせられるものである。
【０００６】
本発明の目的は、複雑な配線をする必要がなく安価で容易に漏水位置を特定でき、しかも、メンテナンスも容易な漏水感知システムを提供することにある。
【課題を解決するための手段】
【０００７】
（１）前記目的を達成するため、本発明の漏水検知システムは、直列に接続され、漏水により導通されて抵抗値により漏水位置を特定可能にされた複数の漏水検知センサと、
前記漏水検知センサによる検出位置を読みとる情報読取り手段と、
前記情報読取り手段で読みとった情報を記憶する記憶手段と、
を含むことを特徴とする。
【０００８】
本発明によれば、直列に接続され、漏水により導通されて抵抗値により漏水位置を特定可能にされた複数の漏水検知センサを用いているため、複雑な配線をすることなく、安価な構成で漏水位置を特定することができ、しかも、単純な配線とすることで、メンテナンスも容易となる。
（２）本発明においては、（１）において、
前記漏水検知センサは、インターフェイスを介してパッシブ型ＲＦＩＤと接続され、
前記情報読取り手段は、無線アンテナを介して前記パッシブ型ＲＦＩＤと送受信可能なリーダ・ライタとされ、
前記パッシブ型ＲＦＩＤは、前記リーダ・ライタにより起電力を付与されて前記漏水検知センサに通電可能にされたものとすることができる。
【０００９】
このような構成とすることにより、パッシブ型ＲＦＩＤを用いることで、バッテリーが不要で、常時電源供給の必要がなく、検査測定時にのみ情報読取り手段によりＲＦＩＤを起電させて情報を読みとればよく、安価かつメンテナンスも容易となる。
（３）本発明においては、（１）において、
前記漏水検知センサは、インターフェイスを介してＵＳＢと接続され、
前記情報読取り手段は、前記ＵＳＢに接続可能にされたものとすることができる。
【００１０】
このような構成とすることにより、必要時にＵＳＢにて情報読取り手段とインターフェイスとを接続すればよく、漏水検知センサ側の情報を容易かつ安価に読みとることができる。
（４）本発明においては、（１）において、
前記漏水検知センサは、インターフェイスを介してアクティブ型ＩＣタグと接続され、
前記情報読取り手段は、無線アンテナを介して前記アクティブ型ＩＣタグと送受信可能なリーダ・ライタとされたものとすることができる。
【００１１】
このような構成とすることにより、アクティブ型ＩＣタグを用いることで、漏水検知センサによる検知回数を上げ、より精度の高い漏水検知を行うことが可能となる。
（５）本発明においては、（１）〜（４）において、
前記漏水検知センサは、２芯リード線の被覆を複数箇所で除去し、導線の露出部を保水性及び導電性を有する材料にて被覆してなるものとすることができる。
【００１２】
このような構成とすることにより、１本の配線に複数の漏水検知センサの設置を容易に行うことができ、しかも、寿命が長く、安価で、メンテナンスフリーなものとすることができる。
（６）本発明においては、（５）において、
前記漏水検知センサは、ロール状の防水材の裏面に予め一体に組み込まれて、防水材の敷設時に同時に敷設されることができる。
【００１３】
このような構成とすることにより、漏水検知センサの配設を用意かつ確実に行うことができる。
（７）本発明の他の漏水検知システムは、直列に接続され、漏水により導通されて抵抗値により漏水位置を特定可能にされた複数の漏水検知センサと、
前記漏水検知センサによる検出位置を記憶する記憶手段と、
前記記憶手段に記憶した情報を読みとる情報読取り手段と、
を含むことを特徴とする。
【００１４】
本発明によれば、（１）の場合と同様に、複雑な配線をすることなく、安価な構成で漏水位置を特定することができ、しかも、単純な配線とすることで、メンテナンスも容易となる。
【発明を実施実施するための最良の形態】
【００１５】
以下、本発明の実施の形態について、図面を参照して説明する。
【００１６】
図１〜図５は、本発明の一実施の形態にかかる漏水検知システムを示す図である。
【００１７】
図１は、本実施の形態にかかる漏水検知システムを建造物の屋上スラブ上に設置した状態を示す断面図で、この建造物１０はパラペット１２で囲まれた屋上スラブ１４の上面及びパラペット１２の内側面に防水シート等からなる防水層１６が形成され、この防水層１６と屋上スラブ１４との間に漏水検知システム２０が配設されるようになっている。
【００１８】
この漏水検知システム２０は、図２にも示すように、複数の漏水検知センサ２２と、外部の情報読取り手段２６と、記憶手段２４とを有している。
【００１９】
漏水検知センサ２２は、直列に接続され、漏水により導通されて抵抗値により漏水位置を特定可能にされている。
【００２０】
具体的には、図３に示すように、２芯リード線２８の被覆３０を所定の間隔で複数箇所除去して所定間隔で離隔した状態で導線３２を露出させ、この導電線３２の露出部３４を保水性及び導電性を有する材料３５で被覆して形成された状態となっている。
【００２１】
このように、１本の２芯リード線２８に複数の漏水検知センサ２２を所定間隔で形成することにより、漏水検知センサ２２の設置を容易に行うことができ、しかも、寿命が長く、安価で、メンテナンスフリーなものとすることができる。
【００２２】
また、漏水検知センサ２２は、図４に示すように、漏水検知センサ２２を形成した２芯リード線２８を所定の長さに形成しておき、これを施工現場でコネクタ３６により接続するようにしておけば、容易に施工現場に合わせた長さにすることができる。
【００２３】
この場合、例えば、コネクタ３６の両端から導線３８を突出させておき、この導線３８を２芯リード線２８の端部に形成した孔４０に差し込むようにすると安価でかつ接続部の太さに変化のない状態にすることができる。
【００２４】
なお、接続最終端の２芯リード線２８の終端部４２側は、孔のない状態にして防水処理を施すようにすると良い。
【００２５】
また、図２に示すように、この漏水検知センサ２２を有する複数本の２芯リード線２８が、インターフェイス４６を介してパッシブ型ＲＦＩＤ４４に接続された状態となっている。
【００２６】
このパッシブ型ＲＦＩＤ４４には、無線アンテナ４８が設けられており、この無線アンテナ４８を介して情報読取り手段２６と送受信可能にされている。
【００２７】
そして、情報読取り手段２６からの信号を受信すると、パッシブ型ＲＦＩＤ４４に起電力が生じて、漏水検知センサ２２側に通電され、通電状態になっている漏水検知センサ２２があると、インターフェース４６及びパッシブ型ＲＦＩＤ４４を介してその位置がリーダ・ライタ５６に読みとられるようになっている。
【００２８】
このように、パッシブ型ＲＦＩＤ４４を用いることで、バッテリーが不要で、常時電源供給の必要がなく、検査測定時にのみ情報読取り手段２６によりパッシブ型ＲＦＩＤ４４を起電させて情報を読みとればよく、安価かつメンテナンスも容易となる。
【００２９】
また、この漏水位置検出の性能を向上させるために、図５に示すように、各漏水検知センサ２２間に抵抗５０を配置するようにしても良い。
【００３０】
さらに、この漏水検知センサ２２と、インターフェイス４６と、パッシブ型ＲＦＩＤ４４とが、屋上スラブ１４と防水層１６との間に配設されるされるものであるため、例えば、図８に示すように、防水シート等のロール状の防水材５２を敷設して防水層１６を形成する場合には、防水材５２の裏面に予め漏水検知センサ２２と、インターフェイス４６と、パッシブ型ＲＦＩＤ４４とを一体に組み込んでおけば、防水材５２の敷設時に同時に漏水検知センサ２２と、インターフェイス４６と、パッシブ型ＲＦＩＤ４４との配設も完了することとなり、配設作業の簡略化を図ることが可能となる。
【００３１】
情報読取り手段２６は、リーダ・ライタ５６と、無線アンテナ５８とを有し、リーダ・ライタ５６より無線アンテナ５８及び４８を介してパッシブ型ＲＦＩＤ４４に送信することにより、パッシブ型ＲＦＩＤ４４に起電力を生じさせ、インターフェイス４６を介して漏電検知センサ２２側に通電し、漏水箇所を漏水検知センサ２２よりインターフェイス４６及びパッシブ型ＲＦＩＤ４４を通して漏水情報をを読みとるようになっている。
【００３２】
リーダ・ライタ５６で読みとった漏水情報は、リーダ・ライタ５６に搭載した記憶手段２４に書き込まれて、記憶手段２６に記憶されるようになっている。
【００３３】
記憶手段２６に記憶された漏水情報は、図１及び図２に示すように、リーダ・ライタ５６を所定のアプリケーションを組み込んだパーソナルコンピュータ５４に接続することにより、パーソナルコンピュータ５４に表示されるようになっている。
【００３４】
図６は、本発明の他の実施の形態にかかる漏水検知システムを示す図である。
【００３５】
この実施の形態では、建造物の屋上スラブ１４上に防水層１６を形成し、この防水層１６と屋上スラブ１４との間の脱気を行う脱気装置６０を有する場合に、前記実施の形態におけるパッシブ型ＲＦＩＤ４４を脱気装置６０の開口部６２に取り付けることで、漏水検出作業を容易に行えるようにしている。
【００３６】
他の構成及び作用は、前記実施の形態と同様につき説明を省略する。
【００３７】
図７は、本発明のさらに他の実施の形態にかかる漏水検知システムを示す図である。
【００３８】
この実施の形態では、建造物１０のパラペット１２で囲まれた屋上スラブ１４の上面及びパラペット１２の内側面に防水シート等からなる防水層１６が形成され、さらに、この防水層１６上に断熱層６４が形成される場合を示している。
【００３９】
この場合、屋上スラブ１４と防水層１６との間には漏水検知センサ２２のみを配設し、インターフェイス４６及びパッシブ型ＲＦＩＤ４４は化粧天井６６上に配設し、漏水検知センサ２２とインターフェイス４６及びパッシブ型ＲＦＩＤ４４とを２芯リード線６８にて接続するようにしている。
【００４０】
リーダ・ライタ５６とパッシブ型ＲＦＩＤ４４との送受信は室内７０側から行うようにしている。
【００４１】
これによって、断熱層６４が屋上に設けられる場合でも漏水検出が行えるようにしている。
【００４２】
他の構成及び作用は、前記各実施の形態と同様につき説明を省略する。
【００４３】
図９は、本発明のさらに他の実施の形態にかかる漏水検知システムを示す図である。
【００４４】
この実施の形態では、インターフェイス４６を介してパッシブ型ＲＦＩＤ４４に接続されたリード線２８に直列に異なる抵抗値の複数、例えば３つの抵抗Ａ、抵抗Ｂ、抵抗Ｃを設け、各抵抗Ａ、抵抗Ｂ、抵抗Ｃにバイパスする状態で漏水検知センサ２２Ａ、２２Ｂ、２２Ｃを取り付けるようにしている。
【００４５】
そして、各漏水検知センサ２２Ａ、２２Ｂ、２２Ｃが漏水を検知していない状態では、抵抗Ａ、抵抗Ｂ、抵抗Ｃ側に電流が流れ、、各漏水検知センサ２２Ａ、２２Ｂ、２２Ｃのいずれかが漏水を検知すると、該当位置の漏水検知センサ２２Ａ、２２Ｂ、２２Ｃが導通状態となり、その位置の抵抗Ａ、抵抗Ｂまたは抵抗Ｃ側に電流が流れなくなるようになっている。
【００４６】
したがって、漏水位置の抵抗Ａ、抵抗Ｂまたは抵抗Ｃの抵抗値分だけ抵抗値が減少することとなり、その減少した抵抗値によって漏水位置を確認することができるようになっている。
【００４７】
他の構成及び作用は、前記各実施の形態と同様につき説明を省略する。
【００４８】
本発明は、前記各実施の形態に限定されるものではなく、本発明の要旨の範囲内において種々の形態に変形可能である。
【００４９】
例えば、前記各実施の形態では、記憶手段側にパッシブ型ＲＦＩＤを用いているが、この例に限らず、パッシブ型ＲＦＩＤに代えてアクティブ型ＩＣタグを用いることも可能である。
【００５０】
また、図６の実施の形態では、脱気装置の開口部にパッシブ型ＲＦＩＤを設置する場合について説明したが、このパッシブ型ＲＦＩＤに代えてＵＳＢやコンセントを設置して直接電源を供給し漏水検出を行ったり、バッテリやソーラー電源を用いた無線センサネットワークを設置したりすることも可能である。
【００５１】
さらに、前記各実施の形態では、建造物の屋上防水の漏水検出の場合について説明したが、この例に限らず、管理型最終処分場その他の漏水検出にも適用が可能である。
【００５２】
また、前記実施の形態では、パッシブ型ＲＦＩＤ側には記憶手段がなく、リーダ・ライタ側に記憶手段を搭載した場合について説明したが、パッシブ型ＲＦＩＤに記憶手段を搭載し、まず漏水検知センサによる検出位置を記憶手段に記憶させ、その後記憶手段に記憶した情報を情報読取り手段にて読みとるようにしてもよい。
【００５３】
この場合、情報読取り手段としてリーダ・ライタを用い、このリーダ・ライタ側にも記憶手段を搭載してもよく、あるいは、直接パーソナルコンピュータにて情報を読みとるようにしても良い。
【００５４】
を含む
【図面の簡単な説明】
【００５５】
【図１】本発明の一実施の形態にかかる漏水検知システムを建造物の屋上スラブ上に設置した状態を示す断面図である。
【図２】図１の漏水検知システムの詳細図である。
【図３】漏水検知センサの拡大斜視図である。
【図４】２芯リード線の接続状態を示す拡大斜視図である。
【図５】２芯リード線の各漏水検知センサ間に抵抗を設けた例を示す平面図である。
【図６】本発明の他の実施の形態にかかる漏水検知システムを示す断面図である。
【図７】本発明のさらに他の実施の形態にかかる漏水検知システムを示す断面図である。
【図８】ロール状の防水材に漏水検知センサ、インターフェイス及びパッシブ型ＲＦＩＤを予め一体に組み込んだ例を示す平面図である。
【図９】本発明のさらに他の実施の形態にかかる漏水検知システムを示す平面図である。
【符号の説明】
【００５６】
２０  漏水検知システム
２２、２２Ａ、２２Ｂ、２２Ｃ  漏水検知センサ
２４  記憶手段
２６  情報読取り手段
２８  ２芯リ−ド線
３０  被覆
３２  導線
３４  露出部
４４  パッシブ型ＲＦＩＤ
４６  インターフェース
４８、５８  無線アンテナ
５２  防水材
５６  リーダ・ライタ
【図１】
2008233031.tif 000003
【図２】
2008233031.tif 000004
【図３】
2008233031.tif 000005
【図４】
2008233031.tif 000006
【図５】
2008233031.tif 000007
【図６】
2008233031.tif 000008
【図７】
2008233031.tif 000009
【図８】
2008233031.tif 000010
【図９】
2008233031.tif 000011